【手続補正書】
【提出日】平成19年11月16日(2007.11.16)
【手続補正１】
【補正対象書類名】特許請求の範囲
【補正対象項目名】全文
【補正方法】変更
【補正の内容】
【特許請求の範囲】
【請求項１】
長手方向に延びるコンベヤ表面を有し、該コンベヤ表面上の運搬すべき物品が長手方向に搬送される第１のスリップコンベヤ部分であって、上流端及び下流端を有すると共に、該上流端が物品を受けるように設けられている、前記第１のスリップコンベヤ部分と、
長手方向に延びるコンベヤ表面を有し、該コンベヤ表面上の運搬すべき物品が長手方向に搬送される、第２のスリップコンベヤ部分であって、上流端及び下流端を有すると共に、前記第１のスリップコンベヤ部分の下流端から離れていった物品が前記第２のスリップコンベヤ部分の上流端に配送されるように、前記第１のスリップコンベヤ部分に装着されている、前記第２のスリップコンベヤ部分とを備え、
前記第１及び第２のスリップコンベヤ部分は、所望量の物品が前記第１のスリップコンベヤ部分から前記第２のスリップコンベヤ部分へ通過可能であって、前記第２のスリップコンベヤ部分の上流端と前記第１のスリップコンベヤ部分の下流端とが整列された位置から横方向変位をもたらすべく装着されており、変位された位置では更なる所望量の物品が、前記第１のスリップコンベヤ部分の下流端と前記第２のスリップコンベヤ部分の上流端との間の相対的な変位の結果として、前記第１及び第２のスリップコンベヤ部分から取り出し可能であって、
前記第１のスリップコンベヤ部分の下流端及び前記第２のスリップコンベヤ部分の上流端の下方に位置決めされた横送りコンベヤを更に含んでいて、取り出す物品は前記第１のスリップコンベヤ部分の下流端から離れていくとともに前記第２のスリップコンベヤ部分の上流端には配送されないで、前記横送りコンベヤに配送されるようになっている、コンベヤアッセンブリ。
【請求項２】
前記第１及び第２のスリップコンベヤ部分のコンベヤ表面は上向きに面しており、前記第１及び第２のスリップコンベヤ部分の少なくとも一方は、前記第１のスリップコンベヤ部分の下流端及び前記第２のスリップコンベヤ部分の上流端の間の相対的かつ角度的に移動可能に装着されている、請求項１に記載のコンベヤアッセンブリ。
【請求項３】
前記第１及び第２のスリップコンベヤ部分の少なくとも一方は、前記第２のスリップコンベヤ部分の上流端と前記第１のスリップコンベヤ部分の下流端との相対位置を変えて、相対的な横方向変位をもたらすべくほぼ水平な面において可動であるように枢着されている、請求項２に記載のコンベヤアッセンブリ。
【請求項４】
前記第１及び第２のスリップコンベヤ部分は線形コンベヤである、請求項１に記載のコンベヤアッセンブリ。
【請求項５】
前記第１のスリップコンベヤ部分は前記第２のスリップコンベヤ部分に対してほぼ水平な面において枢軸的に動かされる、請求項４に記載のコンベヤアッセンブリ。
【請求項６】
長手方向に延びるコンベヤ表面を有し、該コンベヤ表面上の運搬すべき物品が長手方向に搬送される第１のスリップコンベヤ部分であって、上流端及び下流端を有すると共に、該上流端が物品を受けるように設けられている、前記第１のスリップコンベヤ部分と、
長手方向に延びるコンベヤ表面を有し、該コンベヤ表面上の運搬すべき物品が長手方向に搬送される、第２のスリップコンベヤ部分であって、上流端及び下流端を有すると共に、前記第１のスリップコンベヤ部分の下流端から離れていった物品が前記第２のスリップコンベヤ部分の上流端に配送されるように、前記第１のスリップコンベヤ部分に装着されている、前記第２のスリップコンベヤ部分とを備え、
前記第１及び第２のスリップコンベヤ部分は、所望量の物品が前記第１のスリップコンベヤ部分から前記第２のスリップコンベヤ部分へ通過可能であって、前記第２のスリップコンベヤ部分の上流端と前記第１のスリップコンベヤ部分の下流端とが整列された位置から横方向変位をもたらすべく装着されており、変位された位置では更なる所望量の物品が、前記第１のスリップコンベヤ部分の下流端と前記第２のスリップコンベヤ部分の上流端との間の相対的な変位の結果として、前記第１及び第２のスリップコンベヤ部分から取り出し可能であって、
前記第１のスリップコンベヤ部分の下流端は前記第２のスリップコンベヤ部分の上流端の上方に配置されており、
前記第１のスリップコンベヤ部分の下流端及び前記第２のスリップコンベヤ部分の上流端の下方に位置決めされた横送りコンベヤを更に含んでいて、取り出す物品は前記第１のスリップコンベヤ部分の下流端から離れていくとともに前記第２のスリップコンベヤ部分の上流端には配送されないで、前記横送りコンベヤに配送されるようになっている、コンベヤアッセンブリ。
【請求項７】
前記第１及び第２のスリップコンベヤ部分のコンベヤ表面は上向きに面しており、前記第１及び第２のスリップコンベヤ部分の少なくとも一方は、前記第１のスリップコンベヤ部分の下流端及び前記第２のスリップコンベヤ部分の上流端の間の相対的かつ角度的運動に備えて角度的運動可能に装着されている、請求項６に記載のコンベヤアッセンブリ。
【請求項８】
前記第１及び第２のスリップコンベヤ部分の少なくとも一方は、前記第２のスリップコンベヤ部分の上流端と前記第１のスリップコンベヤ部分の下流端との相対位置を変えて、相対的な横方向変位をもたらすべくほぼ水平な面において可動であるように枢着されている、請求項７に記載のコンベヤアッセンブリ。
【請求項９】
前記第１及び第２のスリップコンベヤ部分は線形コンベヤである、請求項６に記載のコンベヤアッセンブリ。
【請求項１０】
前記第１のスリップコンベヤ部分は前記第２のスリップコンベヤ部分に対してほぼ水平な面において枢軸的に動かされる、請求項９に記載のコンベヤアッセンブリ。
【請求項１１】
長手方向に延びるコンベヤ表面を有し、該コンベヤ表面上の運搬すべき物品が長手方向に搬送される第１のスリップコンベヤ部分であって、上流端及び下流端を有すると共に、該上流端が物品を受けるように設けられている、前記第１のスリップコンベヤ部分と、
長手方向に延びるコンベヤ表面を有し、該コンベヤ表面上の運搬すべき物品が長手方向に搬送される、第２のスリップコンベヤ部分であって、上流端及び下流端を有すると共に、前記第１のスリップコンベヤ部分の下流端から離れていった物品が前記第２のスリップコンベヤ部分の上流端に配送されるように、前記第１のスリップコンベヤ部分に装着されている、前記第２のスリップコンベヤ部分とを備え、
前記第１及び第２のスリップコンベヤ部分は、所望量の物品が前記第１のスリップコンベヤ部分から前記第２のスリップコンベヤ部分へ通過可能であって、前記第２のスリップコンベヤ部分の上流端と前記第１のスリップコンベヤ部分の下流端とが整列された位置から横方向変位をもたらすべく装着されており、変位された位置では更なる所望量の物品が、前記第１のスリップコンベヤ部分の下流端と前記第２のスリップコンベヤ部分の上流端との間の相対的な変位の結果として、前記第１及び第２のスリップコンベヤ部分から取り出し可能であって、
前記第１及び第２のスリップコンベヤ部分の少なくとも一方は、前記第２のスリップコンベヤ部分の上流端と前記第１のスリップコンベヤ部分の下流端との相対位置を変えて、前記相対的な横方向変位をもたらすべくほぼ水平な面において可動であるように枢着されており、
前記第１のスリップコンベヤ部分の下流端及び前記第２のスリップコンベヤ部分の上流端の下方に位置決めされた横送りコンベヤを更に含んでいて、取り出す物品は前記第１のスリップコンベヤ部分の下流端から離れていくとともに前記第２のスリップコンベヤ部分の上流端には配送されないで、前記横送りコンベヤに配送されるようになっている、コンベヤアッセンブリ。
【請求項１２】
前記第１及び第２のスリップコンベヤ部分のコンベヤ表面は上向きに面しており、前記第１及び第２のスリップコンベヤ部分の少なくとも一方は、前記第１のスリップコンベヤ部分の下流端及び前記第２のスリップコンベヤ部分の上流端の間の相対的かつ角度的運動に備えて角度的運動可能に装着されている、請求項１１に記載のコンベヤアッセンブリ。
【請求項１３】
前記第１のスリップコンベヤ部分の下流端は前記第２のスリップコンベヤ部分の上流端の上方に配置されている、請求項１２に記載のコンベヤアッセンブリ。
【請求項１４】
前記第１及び第２のスリップコンベヤ部分は線形コンベヤである、請求項１２に記載のコンベヤアッセンブリ。
【請求項１５】
前記第１のスリップコンベヤ部分は前記第２のスリップコンベヤ部分に対してほぼ水平な面において枢軸的に動かされる、請求項１４に記載のコンベヤアッセンブリ。
【請求項１６】
長手方向に延びるコンベヤ表面を有し、該コンベヤ表面上の運搬すべき物品が長手方向に搬送される第１のスリップコンベヤ部分であって、上流端及び下流端を有すると共に、該上流端が物品を受けるように設けられている、前記第１のスリップコンベヤ部分と、
長手方向に延びるコンベヤ表面を有し、該コンベヤ表面上の運搬すべき物品が長手方向に搬送される、第２のスリップコンベヤ部分であって、上流端及び下流端を有すると共に、前記第１のスリップコンベヤ部分の下流端から離れていった物品が前記第２のスリップコンベヤ部分の上流端に配送されるように、前記第１のスリップコンベヤ部分に装着されている、前記第２のスリップコンベヤ部分とを備え、
前記第１及び第２のスリップコンベヤ部分は、所望量の物品が前記第１のスリップコンベヤ部分から前記第２のスリップコンベヤ部分へ通過可能であって、前記第２のスリップコンベヤ部分の上流端と前記第１のスリップコンベヤ部分の下流端とが横方向変位をもたらすべく装着されており、更なる所望量の物品が、前記第１のスリップコンベヤ部分の下流端と前記第２のスリップコンベヤ部分の上流端との間の相対的な変位の結果として、前記第１及び第２のスリップコンベヤ部分から取り出し可能であって、
前記第１のスリップコンベヤ部分の下流端及び前記第２のスリップコンベヤ部分の上流端の下方に位置決めされた横送りコンベヤを更に含んでいて、取り出す物品は前記第１のスリップコンベヤ部分の下流端から離れていくとともに前記第２のスリップコンベヤ部分の上流端には配送されないで、前記横送りコンベヤに配送されるようになっている、コンベヤアッセンブリ。
【請求項１７】
前記第１及び第２のスリップコンベヤ部分のコンベヤ表面は上向きに面しており、前記第１及び第２のスリップコンベヤ部分の少なくとも一方は、前記第１のスリップコンベヤ部分の下流端及び前記第２のスリップコンベヤ部分の上流端の間の相対的かつ角度的運動に備えて角度的運動可能に装着されている、請求項１６に記載のコンベヤアッセンブリ。
【請求項１８】
前記第１のスリップコンベヤ部分の下流端は前記第２のスリップコンベヤ部分の上流端の上方に配置されている、請求項１７に記載のコンベヤアッセンブリ。
【請求項１９】
前記第１及び第２のスリップコンベヤ部分の少なくとも一方は、前記第２のスリップコンベヤ部分の上流端と前記第１のスリップコンベヤ部分の下流端との相対位置を変えて、前記相対的な横方向変位をもたらすべくほぼ水平な面において可動であるように枢着されている、請求項１８に記載のコンベヤアッセンブリ。
【手続補正２】
【補正対象書類名】明細書
【補正対象項目名】全文
【補正方法】変更
【補正の内容】
【発明の詳細な説明】
【発明の名称】コンベヤアッセンブリ
【技術分野】
【０００１】
本発明は、コンベヤアッセンブリに関し、特に、コンベヤに沿う離間した箇所に、運搬されつつある物品の取出しを可能とする手段を有するコンベヤに関するものである。
【背景技術】
【０００２】
包装産業は、特にスナック食品を包装する際、包装すべき製品を離間した包装箇所に搬送するためにコンベヤを使用している。各個所には、計量機械と、計量済みのバッチの製品を袋の中に入れる包装機械とが存在することが一般的である。
【０００３】
コンベヤは、十分な製品を各包装機械に送る必要がある。従って、コンベヤに沿う離間した個所で製品が取り出され、包装機械に配送される。典型的には、製品は、開閉されるゲートをコンベヤに設けることにより取り出され、製品は、該ゲートを経由してコンベヤから取り出され、関連の包装機械へと延びる更なるコンベヤに搬送される。これらの更なるコンベヤは、一次コンベヤに対して交差しているのが普通である。
【０００４】
既知のコンベヤはスリップコンベヤ（slip conveyor)である。スリップコンベヤは、コンベヤの長手方向に製品を搬送するために長手方向に振動されるコンベヤ表面を有している。多数のコンベヤ表面が設けられている場合、これらコンベヤ表面を長手方向に変位させて隣接する表面間に間隙を設け、この間隙を通して製品が配送されることは既知である。
【０００５】
上述したコンベヤ装置は、横送りコンベヤへの製品の配送の制御が不十分であったり、洗浄に関して様々な問題があることを含め、多くの欠点を有している。
【発明の開示】
【発明が解決しようとする課題】
【０００６】
本発明の目的は、上述の欠点を超克すること或いは実質的に改善することである。
【課題を解決するための手段】
【０００７】
ここには、コンベヤアッセンブリであって、基台と、長手方向に延びるコンベヤ表面を有し、該コンベヤ表面上の運搬すべき物品が長手方向に搬送される第１のコンベヤ部分であって、上流端及び下流端を有すると共に、該上流端が前記物品を受けるように設けられている、前記第１のコンベヤ部分と、長手方向に延びるコンベヤ表面を有し、該コンベヤ表面上の運搬すべき物品が長手方向に搬送される、前記基台上に装着される第２のコンベヤ部分であって、上流端及び下流端を有すると共に、前記第２のコンベヤ部分は、前記第１のコンベヤ部分の下流端を去る物品が前記第２のコンベヤ部分の上流端に配送されるように、前記第１のコンベヤ部分に関して装着されている、前記第２のコンベヤ部分とを備え、前記第１及び第２のコンベヤ部分は、整列された位置では、所望量の前記物品が前記第１のコンベヤ部分から前記第２のコンベヤ部分へ通過するように、変位された位置では、前記第２のコンベヤ部分の上流端に対する前記第１のコンベヤ部分の下流端との間の相対的な横方向変位をもたらすべく装着されており、更なる希望量の前記物品は、前記第１のコンベヤ部分の下流端と前記第２のコンベヤ部分の上流端との間の相対的な変位の結果として、前記コンベヤから取り出される、コンベヤが開示されている。
【０００８】
好ましくは、双方のコンベヤ表面は上向きに面しており、前記第１及び第２のコンベヤ部分の少なくとも一方は、前記第１のコンベヤ部分の下流端及び前記第２のコンベヤ部分の上流端の間の相対的な角度的運動に備えて角度的運動可能に装着されている。
、請求項１に記載のコンベヤ。
【０００９】
前記第１のコンベヤ部分の下流端は前記第２のコンベヤ部分の上流端の上方に配置されているのが好ましい。
【００１０】
前記第１及び第２のコンベヤ部分の少なくとも一方は、前記第２のコンベヤ部分の上流端に関する前記第１のコンベヤ部分の下流端の相対位置を変えて、それにより前記相対的な横方向変位をもたらすべくほぼ水平な面において可動であるように枢着されていることが好ましい。
【００１１】
前記第１のコンベヤ部分の下流端及び前記第２のコンベヤ部分の上流端の下方に位置決めされた横送りコンベヤを更に含んでいて、前記第１のコンベヤ部分の下流端を去るが前記第２のコンベヤ部分の上流端には配送されない物品が前記横送りコンベヤに配送されるようになっていることが好ましい。
【００１２】
好ましいのは、前記第１及び第２のコンベヤ部分の各々がスリップコンベヤであることである。
【００１３】
前記第１及び第２のコンベヤ部分は線形コンベヤであることが好ましい。
【００１４】
前記第１のコンベヤ部分は前記第２のコンベヤ部分に対してほぼ水平な面において枢軸的に動かされるのが好ましい。
【００１５】
次に、本発明の好適な形態について図面を参照して説明する。
【発明を実施するための最良の形態】
【００１６】
添付図面には、製品を複数の横送りコンベヤ又はシュート１１に配送する線形コンベヤ１０が概略的に記載されている。一般的に言って、コンベヤ１０がスナック食品を搬送するのに使用されるのであれば、製品は横送りコンベヤ１１から包装機械に配送される。
【００１７】
コンベヤ１０は、基台１３に装着される複数のコンベヤ部分１２を含んでいる。基台１３は、各コンベヤ部分１２の直下を通るように長手方向に延びている。各コンベヤ部分１２は、上流端１５及び下流端１６を含み、それらの間をほぼ水平なコンベヤ表面１７が通る。製品は各コンベヤ表面１７の上に置かれ、それにより矢印１８の方向に運搬されるようになっている。
【００１８】
各コンベヤ部分１２は、上流端１５で又はその近くで軸１４によって基台１３に枢着されている。これにより、各下流端１６の構造は、コンベヤ部分１２の上流端１５を何ら実質的に変位することなく横方向に変位することができる。各コンベヤ部分１２と関連付けられているのはスライド部材１９であり、その上に、関連のコンベヤ部分が滑動自在に載置されている。基台１３は、コンベヤ１２がスリップコンベヤとして作動するように基台が矢印２１の方向に往復動せしめられる状態で、複数の枢着アーム２０上に支持されている。
【００１９】
これらコンベヤ部分１２は、各コンベヤ部分１２の下流端が次の隣接する下流側のコンベヤ部分１２の上流端１５の上方に位置付けられるようにオーバーラップしている。
【００２０】
各コンベヤ部分１２に取り付けられているのは、空圧又は液圧シリンダのような作動装置２２である。各作動装置２２の作動は、弧状の矢印２３の角度方向に関連したコンベヤ部分の枢回を生ぜしめる。各コンベヤ部分１２の枢回は、それぞれの軸１４により提供されるほぼ垂直の軸線２４を中心としている。この角度的運動は、更に、各コンベヤ部分１２がそれぞれのスライド部材１９上に滑動自在に支持されていることによりもたらされる。
【００２１】
作動装置２２の作動により、オーバーラップしている各下流端１６の、その関連の上流端１５に関する整列度を調整することができる。各下流端１６をその関連の上流端１５に関して横方向に変位させることによって、製品は、下流端１６を去って隣接する横送りコンベヤ１１に配送される。不整列度が大きくなればなるほど、それだけ多くの製品が関連の横送りコンベヤ１１に配送される。従って、上述した好適な実施形態において、横送りコンベヤへの製品の配送はより良く制御されることができる。これは、少なくとも部分的に、作動装置２２が端１５及び１６の整列度を“連続的に”変えるように作動可能であることの結果である。
【００２２】
別の実施形態において、下流端１６よりもむしろ、下流側の上流端１５を横方向に変位させることができる。
【図面の簡単な説明】
【００２３】
【図１】コンベヤの概略平面図である。
【図２】図１のコンベヤの概略側面図である。